(57)【特許請求の範囲】
【請求項１】
少なくとも（ｉ）第１通信プロトコルに従って動作する第１ネットワークインターフェース及び（ｉｉ）第２通信プロトコルに従って動作する第２ネットワークインターフェースを含む通信デバイスを動作させる方法であって、  前記第１通信プロトコルに従って前記第１ネットワークインターフェースを動作させる段階であり、前記第１通信プロトコルは複数の時間間隔の周期的な繰り返しセットを定義する、段階と、  前記複数の時間間隔のセットから、選択基準を満たす１又は複数の時間間隔を決定する段階であり、前記選択基準は前記第１ネットワークインターフェースにより経験される干渉のレベルに基づく、段階と、  決定された前記１又は複数の時間間隔の間、前記第１通信プロトコルに従って前記第１ネットワークインターフェースの動作を一時停止し、前記第２通信プロトコルに従って前記第２ネットワークインターフェースの動作をイネーブルにする段階と、を備える方法。
【請求項２】
前記第１通信プロトコルは、第３世代パートナーシッププロジェクトロングタームエボリューション（３ＧＰＰ  ＬＴＥ）プロトコルである、請求項１に記載の方法。
【請求項３】
前記第２通信プロトコルは、ワイヤレスローカルエリアネットワーク（ＷＬＡＮ）通信プロトコル、Ｂｌｕｅｔｏｏｔｈ（登録商標）通信プロトコル、又はグローバルポジショニングシステム（ＧＰＳ）通信プロトコルのうちの１つである、請求項１又は２に記載の方法。
【請求項４】
前記通信デバイスは、サービング基地局により供され、前記選択基準は、前記第１ネットワークインターフェースが１又は複数の隣接基地局による複数の送信の結果として経験する干渉のレベルに基づく、請求項１から３のいずれか一項に記載の方法。
【請求項５】
前記１又は複数の時間間隔を決定する段階は、  前記通信デバイスとサービング基地局との間の通信チャネルの低いチャネル品質に対応する、前記複数の時間間隔のうちの時間間隔のサブセットを識別するために、前記複数の時間間隔のうちの１又は複数の間に複数のチャネル測定を実行する段階と、  識別された前記複数の時間間隔のサブセットから前記１又は複数の時間間隔を選択する段階と、を含む、請求項１から４のいずれか一項に記載の方法。
【請求項６】
前記１又は複数の時間間隔の間に複数のチャネル測定を実行する段階は、ｉ）前記サービング基地局から受信される参照信号に基づく信号対ノイズ比（ＳＮＲ）測定、及びｉｉ）前記サービング基地局から受信される前記参照信号に基づく信号及び干渉対ノイズ比（ＳＩＮＲ）測定のうちの１又は複数を実行する段階を含む、請求項５に記載の方法。
【請求項７】
前記１又は複数の時間間隔の間に複数のチャネル測定を実行する段階は、前記１又は複数の時間間隔の間に複数の同一チャネル干渉検出測定を実行する段階を含む、請求項５又は６に記載の方法。
【請求項８】
前記１又は複数の時間間隔を決定する段階は、  前記通信デバイスにてサービング基地局から無線リソース管理メッセージ（ＲＲＭメッセージ）を受信する段階であり、前記ＲＲＭメッセージは、前記通信デバイスが前記通信デバイスと前記サービング基地局との間の通信チャネルを測定する間の前記複数の時間間隔のサブセットを示す、段階と、  前記複数の時間間隔のサブセットから除外される、前記複数の時間間隔のうちの、前記複数の時間間隔から前記１又は複数の時間間隔を選択する段階と、を含む請求項１から７のいずれか一項に記載の方法。
【請求項９】
前記１又は複数の時間間隔を決定する段階は、  前記通信デバイスにてサービング基地局から無線リソース管理メッセージ（ＲＲＭメッセージ）を受信する段階であり、前記ＲＲＭメッセージは、前記通信デバイスが前記通信デバイスと隣接基地局との間の通信チャネルを測定する間の前記複数の時間間隔のサブセットを示す、段階と、  前記複数の時間間隔のサブセットに含まれる、前記複数の時間間隔のうちの、前記複数の時間間隔から前記１又は複数の時間間隔を選択する段階と、を含む請求項１から７のいずれか一項に記載の方法。
【請求項１０】
前記１又は複数の時間間隔を決定する段階は、  前記通信デバイスにてサービング基地局から無線リソース管理メッセージ（ＲＲＭメッセージ）を受信する段階であり、前記ＲＲＭメッセージは、前記複数の時間間隔のうちの複数の時間間隔の第１サブセット及び前記複数の時間間隔のうちの複数の時間間隔の第２サブセットを示し、前記第１サブセット及び前記第２サブセットは、前記通信デバイスが前記通信デバイスと隣接基地局との間の通信チャネルを測定する間の複数の時間間隔のそれぞれのサブセットを示す、段階と、  前記複数の時間間隔の第１サブセットに対応する第１チャネル測定を判断するために、前記複数の時間間隔の第１サブセットの間に複数のチャネル測定を実行する段階と、  前記複数の時間間隔の第２サブセットに対応する第２チャネル測定を判断するために、前記複数の時間間隔の第２サブセットの間に複数のチャネル測定を実行する段階と、  前記第１チャネル測定が、前記第２チャネル測定により示されるチャンネル品質と比較して、悪いチャネル品質を示す場合、前記１又は複数の時間間隔として前記第１サブセットを選択する段階と、  前記第２チャネル測定が、前記第１チャネル測定により示されるチャンネル品質と比較して、悪いチャネル品質を示す場合、前記１又は複数の時間間隔として前記第２サブセットを選択する段階と、を含む請求項１から７のいずれか一項に記載の方法。
【請求項１１】
（ｉ）第１通信プロトコルに従って動作する第１ネットワークインターフェース及び（ｉｉ）第２通信プロトコルに従って動作する第２ネットワークインターフェースを有する通信デバイスを備え、前記通信デバイスは、  前記第１通信プロトコルに従って前記第１ネットワークインターフェースを動作させ、但し、前記第１通信プロトコルは複数の時間間隔の周期的な繰り返しセットを定義し、  前記第１ネットワークインターフェースにより経験される高レベルの干渉に対する選択基準を満たす１又は複数の時間間隔を、前記複数の時間間隔のセットから決定し、  決定された前記１又は複数の時間間隔の間、前記第１通信プロトコルに従って前記第１ネットワークインターフェースの動作を一時停止し、前記第２通信プロトコルに従って前記第２ネットワークインターフェースの動作をイネーブルにする、装置。
【請求項１２】
前記第１通信プロトコルは、第３世代パートナーシッププロジェクトロングタームエボリューション（３ＧＰＰ  ＬＴＥ）プロトコルである、請求項１１に記載の装置。
【請求項１３】
前記第２通信プロトコルは、ワイヤレスローカルエリアネットワーク（ＷＬＡＮ）通信プロトコル、Ｂｌｕｅｔｏｏｔｈ（登録商標）通信プロトコル、又はグローバルポジショニングシステム（ＧＰＳ）通信プロトコルのうちの１つである、請求項１１又は１２に記載の装置。
【請求項１４】
前記通信デバイスは、サービング基地局により供され、前記選択基準は、前記第１ネットワークインターフェースが１又は複数の隣接基地局による複数の送信の結果として経験する干渉のレベルに基づく、請求項１１から１３のいずれか一項に記載の装置。
【請求項１５】
前記通信デバイスは、さらに、  前記通信デバイスとサービング基地局との間の通信チャネルの低いチャネル品質に対応する、前記複数の時間間隔のうちの時間間隔のサブセットを識別するために、前記複数の時間間隔のうちの１又は複数の間に複数のチャネル測定を実行し、  識別された前記複数の時間間隔のサブセットから前記１又は複数の時間間隔を選択する、請求項１１から１４のいずれか一項に記載の装置。
【請求項１６】
前記通信デバイスは、ｉ）前記サービング基地局から受信される参照信号に基づく信号対ノイズ比（ＳＮＲ）、及びｉｉ）前記サービング基地局から受信される前記参照信号に基づく信号及び干渉対ノイズ比（ＳＩＮＲ）のうちの１又は複数を測定することにより、前記１又は複数の時間間隔の間に複数のチャネル測定を実行する、請求項１５に記載の装置。
【請求項１７】
前記通信デバイスは、前記１又は複数の時間間隔の間に複数の同一チャネル干渉検出測定を実行することにより、前記１又は複数の時間間隔の間に複数のチャネル測定を実行する、請求項１５又は１６に記載の装置。
【請求項１８】
前記通信デバイスは、さらに、  サービング基地局から、無線リソース管理メッセージ（ＲＲＭメッセージ）を受信し、但し、前記ＲＲＭメッセージは、前記通信デバイスが前記通信デバイスと前記サービング基地局との間の通信チャネルを測定する間の前記複数の時間間隔のサブセットを示し、  前記複数の時間間隔のサブセットから除外される、前記複数の時間間隔のうちの、前記複数の時間間隔から前記１又は複数の時間間隔を選択することにより前記１又は複数の時間間隔を決定する、請求項１１から１７のいずれか一項に記載の装置。
【請求項１９】
前記通信デバイスは、さらに、  サービング基地局から、無線リソース管理メッセージ（ＲＲＭメッセージ）を受信し、但し、前記ＲＲＭメッセージは、前記通信デバイスが前記通信デバイスと隣接基地局との間の通信チャネルを測定する間の前記複数の時間間隔のサブセットを示し、  前記複数の時間間隔のサブセットに含まれる、前記複数の時間間隔のうちの、前記複数の時間間隔から前記１又は複数の時間間隔を選択することにより前記１又は複数の時間間隔を決定する、請求項１１から１７のいずれか一項に記載の装置。
【請求項２０】
前記通信デバイスは、さらに、  サービング基地局から無線リソース管理メッセージ（ＲＲＭメッセージ）を受信し、但し、前記ＲＲＭメッセージは、前記複数の時間間隔のうちの複数の時間間隔の第１サブセット及び前記複数の時間間隔のうちの複数の時間間隔の第２サブセットを示し、前記第１サブセット及び前記第２サブセットは、前記通信デバイスが前記通信デバイスと隣接基地局との間の通信チャネルを測定する間の複数の時間間隔のそれぞれのサブセットを示し、  前記複数の時間間隔の第１サブセットに対応する第１チャネル測定を判断するために、前記複数の時間間隔の第１サブセットの間に複数のチャネル測定を実行し、  前記複数の時間間隔の第２サブセットに対応する第２チャネル測定を判断するために、前記複数の時間間隔の第２サブセットの間に複数のチャネル測定を実行し、  前記第１チャネル測定が、前記第２チャネル測定により示されるチャンネル品質と比較して、悪いチャネル品質を示す場合、決定された前記１又は複数の時間間隔の間に、前記１又は複数の時間間隔として前記第１サブセットを選択し、  前記第２チャネル測定が、前記第１チャネル測定により示されるチャンネル品質と比較して、悪いチャネル品質を示す場合、決定された前記１又は複数の時間間隔の間に、前記１又は複数の時間間隔として前記第２サブセットを選択するよう構成される、請求項１１から１７のいずれか一項に記載の装置。
【発明の詳細な説明】
【技術分野】
【０００１】
［関連出願の相互参照］
この開示は、開示が参照によりその全体が本明細書に結果として明確に組み込まれる「Ｐｕｎｃｔｕｒｅ  ｏｆ  Ｉｎｔｅｒｆｅｒｅｄ  Ｓｕｂｆｒａｍｅｓ  ｔｏ  Ｆａｃｉｌｉｔａｔｅ  ＩＤＣ」と題する２０１３年３月１８日に出願された米国仮特許出願第６１／８０２，９０１号の利益を主張する。
【０００２】
本開示は、概して無線通信、より詳細には、通信デバイス内で複数の無線通信テクノロジを使用する共存通信を可能するための技術に関する。
【背景技術】
【０００３】
無線通信ネットワークは、消費者がモバイルコンピューティングデバイスに向かって集まるにつれて、また製造者がより大きな能力及び機能を有する無線デバイスを開発し続けるにつれて、需要を増大し続けている。多くのタイプの無線ネットワーク及びネットワークプロトコルが存在する。例えば、携帯電話ネットワークは、典型的に、現在開発中の第３世代パートナーシッププロジェクトロングタームエボリューション（３ＧＰＰ  ＬＴＥ）規格に従って動作する。ワイヤレスローカルエリアネットワーク（ＷＬＡＮ）は、典型的に、最初に１９９９年に公布された電子技術者協会（ＩＥＥＥ）８０２．１１規格無線プロトコルに従って動作する。これらのプロトコルは、異なる周波数帯域及び／又は周波数を多重化又はスプレッドする異なるスキームで動作して、様々なビットレートを無線ネットワーク上のデバイスに伝送するＩＥＥＥ８０２．１１ａ、８０２．１１ｂ、８０２．１１ｇ、８０２．１１ｎ、及び８０２．１１ａｃを含む。これらのＩＥＥＥ８０２．１１ネットワークのいずれかが、ＷｉＦｉネットワークとして頻繁に参照される。
【０００４】
無線通信デバイスは、頻繁に、通信デバイス内で共存する複数の通信テクノロジを採用する。例えば、通信デバイスは、３ＧＰＰ  ＬＴＥ通信プロトコルのような携帯電話ネットワーク通信プロトコルに従って、携帯電話ネットワークにおいて動作してよいし、ＩＥＥＥ８０２．１１ｎ規格又はＩＥＥＥ８０２．１１ａｃ規格のようなＷＬＡＮ通信プロトコルに従って、ＷＬＡＮネットワークにおいて動作してもよい。幾つかの状況では、デバイス内で異なる通信プロトコルに従って動作する複数のシステムの並行動作は、複数のシステムの間での干渉を引き起こすことができる。例えば、ＷＬＡＮ通信システム及び３ＧＰＰ  ＬＴＥ通信システムは、通信デバイス内で互いに十分に近接して共存すると、一方のシステムの送信が、中断、劣化、又はそうでなければ他方のシステムによる受信と干渉する場合がある。例えば、３ＧＰＰ  ＬＴＥ送信器がＷＬＡＮ受信器に近接して設けられると、３ＧＰＰ  ＬＴＥ送信器から放出する送信電力は、ＷＬＡＮ受信器の感度を減じ、おそらく飽和してよく、それにより、３ＧＰＰ送信の間、ＷＬＡＮアクセスポイントによりＷＬＡＮ受信器に送信されているデータパケットは、例えば、ＷＬＡＮ受信器により適切に受信されなくてよし、まったく受信すらされなくてよい。
【発明の概要】
【０００５】  実施形態では、方法は、少なくとも（ｉ）第１通信プロトコルに従って動作するよう構成された第１ネットワークインターフェース及び（ｉｉ）第２通信プロトコルに従って動作するよう構成された第２ネットワークインターフェースを含む通信デバイスを動作させる。方法は、第１通信プロトコルに従って第１ネットワークインターフェースを動作させる段階であり、第１通信プロトコルは複数の時間間隔の周期的な繰り返しセットを定義する、段階を含む。方法は、複数の時間間隔のセットから、選択基準を満たす１又は複数の時間間隔を決定する段階であり、選択基準は第１ネットワークインターフェースにより経験される干渉のレベルに基づく、段階も含む。方法は、さらに、決定された１又は複数の時間間隔の間、第１通信プロトコルに従って第１ネットワークインターフェースの動作を一時停止し、第２通信プロトコルに従って第２ネットワークインターフェースの動作をイネーブルにする段階を含む。
【０００６】  別の実施形態では、装置は、（ｉ）第１通信プロトコルに従って動作するよう構成された第１ネットワークインターフェース及び（ｉｉ）第２通信プロトコルに従って動作するよう構成された第２ネットワークインターフェースを有する通信デバイスを備える。通信デバイスは、第１通信プロトコルに従って第１ネットワークインターフェースを動作させるよう構成され、但し、第１通信プロトコルは複数の時間間隔の周期的な繰り返しセットを定義する。通信デバイスは、また、第１ネットワークインターフェースにより経験される高レベルの干渉に対する選択基準を満たす１又は複数の時間間隔を、複数の時間間隔のセットから決定するよう構成される。通信デバイスは、さらに、決定された１又は複数の時間間隔の間、第１通信プロトコルに従って第１ネットワークインターフェースの動作を一時停止し、第２通信プロトコルに従って第２ネットワークインターフェースの動作をイネーブルにするよう構成される。
【図面の簡単な説明】
【０００７】
【図１】実施形態に係る、本開示の装置内干渉軽減技術を利用する通信ネットワークのブロック図である。
【０００８】
【図２】実施形態に係る、通信デバイス内に共存する少なくとも２つの異なる通信テクノロジを使用して動作するよう構成された通信デバイスの例示的な実装例のブロック図である。
【０００９】
【図３】実施形態に係る、例示的なフレームの図である。
【００１０】
【図４】実施形態に係る、複数の無線通信テクノロジを利用するよう構成された通信デバイスを動作させる例示的な方法のフロー図である。
【発明を実施するための形態】
【００１１】
図１は、実施形態に係る、本開示の装置内干渉軽減技術を利用する通信ネットワーク１００のブロック図である。実施形態では、ネットワーク１００は、それぞれの基地局１０２により供される複数のセルを含む（図を分かりにくくするのを避けるため、セルは図１に示されない）。実施形態では、基地局１０２のそれぞれは、基地局１０２により供されるセル内にある１又は複数のユーザデバイス１０４に対するサービング基地局として振る舞う。例示された実施形態では、例えば、基地局１０２−１は、ユーザデバイス１０４−１及び１０４−２に対するサービング基地局であり、基地局１０２−２はユーザデバイス１０４−３に対するサービング基地局であり、基地局１０２−３は、ユーザデバイス１０４−４に対するサービング基地局である。明確のため３つの基地局１０２が図１に示されるが、様々な実施形態及び／又はシナリオでは、ネットワーク１００は、他の好適な数の基地局１０２を含み、基地局１０２のそれぞれは、任意の好適な数のユーザデバイス１０４に供する。
【００１２】
実施形態では、基地局１０２のそれぞれ及びユーザデバイス１０４のそれぞれは、少なくとも第１通信プロトコルに従って動作するよう構成される。実施形態では、ユーザデバイス１０４のうちの少なくとも１つ（例えば、ユーザデバイス１０４−１）は、また、少なくとも第２通信プロトコルに従って動作するよう構成される。図１に示されるように、例示された実施形態では、通信デバイス１０４−１は、第１通信プロトコルに従って動作するよう構成された第１ネットワークインターフェース１０６及び第２通信プロトコルに従って動作するよう構成された第２ネットワークインターフェース１０８を含む。図１の実施形態では、第１通信プロトコルは、第３世代パートナーシッププロジェクトロングタームエボリューション（３ＧＰＰ  ＬＴＥ）通信プロトコルのような携帯電話ネットワーク通信プロトコルであり、第２通信プロトコルは、ワイヤレスローカルエリアネットワーク（ＷＬＡＮ）通信プロトコル（例えば、ＩＥＥＥ８０２．１１ｎ又はＩＥＥＥ８０２．１１ａｃプロトコル）のようなＷｉＦｉ通信プロトコルである。例示された実施形態では、ネットワークデバイス１０４−１は、第１ネットワークインターフェース１０６を介して基地局１０２−１と通信し、第２ネットワークインターフェース１０８を介してＷＬＡＮアクセスポイント（ＡＰ）１１０と通信する。他の実施形態では、第１通信プロトコル及び／又は第２通信プロトコルは、ワールドワイドインターオペラビリティフォーマイクロウェーブアクセス（ＷｉＭＡＸ）通信プロトコル、Ｂｌｕｅｔｏｏｔｈ（登録商標）通信プロトコル、グローバルポジショニングシステム（ＧＰＳ）通信プロトコル等のような別の好適な通信プロトコルである。そのような実施形態の１つでは、例として、ユーザデバイス１０４−１は、第２ネットワークインターフェース１０８を介して、無線ヘッドセットのようなＢｌｕｅｔｏｏｔｈ（登録商標）デバイスと通信する。
【００１３】
実施形態では、第１通信プロトコル及び第２通信プロトコルは、１又は複数の重複又は密集する周波数帯域における動作を定義する。第１ネットワークインターフェース１０６及び第２ネットワークインターフェース１０８の並行動作は、少なくともそのような複数の周波数帯域において、例えば、ネットワークインターフェース１０６、１０８の１つが送信していて、ネットワークインターフェース１０６、１０８の他の１つが受信していると、第１ネットワークインターフェース１０６及び第２ネットワークインターフェース１０８による送信及び受信の間の干渉（「装置内干渉」）をもたらすことができる。例として、第１通信プロトコルは３ＧＰＰ  ＬＴＥ通信プロトコルであり、第２通信プロトコルはＷＬＡＮ通信プロトコルとすると、ＬＴＥの時分割デュープレクス（ＴＤＤ）バンド４０（２３００ＭＨｚから２４００ＭＨｚ）における第１ネットワークインターフェース１０６の動作は、２４００ＭＨｚ−２４８０ＭＨｚのＷＬＡＮバンドにおける第２ネットワークインターフェース１０８の並行動作と干渉し得る。別の例として、ＬＴＥのＴＤＤバンド４１（２４９６ＭＨｚから２６９０ＭＨｚ）における第１ネットワークインターフェース１０６の動作は、２４００ＭＨｚ−２４８０ＭＨｚのＷＬＡＮバンドにおける第２ネットワークインターフェース１０８の並行動作と干渉し得る。さらに別の例として、実施形態では、ＬＴＥの周波数分割デュプレックス（ＦＤＤ）バンド７（２５００ＭＨｚから２７００ＭＨｚ）における第１ネットワークインターフェース１０６の複数のアップリンク送信は、少なくとも複数のアップリンクＬＴＥ送信に関する２４００ＭＨｚ−２４８０ＭＨｚのＷＬＡＮバンドにおける第２ネットワークインターフェース１０８の並行動作と干渉し得る。
【００１４】
実施形態では、第１通信プロトコルは、複数の基地局と複数のユーザデバイスとの間で通信をスケジューリングするための複数の時間間隔の周期的な繰り返しセットを定義する。実施形態では、複数の基地局１０２は、複数の時間間隔を使用して、複数の基地局１０２により供される複数のユーザデバイス１０４との通信をスケジューリングする。実施形態では、基地局１０２−１は、複数の時間間隔の周期的な繰り返しセット内で基地局１０２−１とユーザデバイス１０４−１、１０４−２との間で通信をスケジューリングする。例えば、実施形態では、基地局１０２−１は、１又は複数、しかしすべてではない、の時間間隔内で基地局１０２−１とユーザデバイス１０４−１との間で通信をスケジューリングする。同様に、実施形態では、基地局１０２−１は、１又は複数、しかしすべてではない、の時間間隔内で基地局１０２−１とユーザデバイス１０４−２との間で通信をスケジューリングする。幾つかの実施形態では、第１通信プロトコルは、直交周波数分割多重（ＯＦＤＭ）を利用する。幾つかの実施形態では、複数の時間間隔の周期的な繰り返しセット内の複数の時間間隔のそれぞれは、１又は複数のリソース要素を含む。ただし、各リソース要素は、特定のＯＦＤＭシンボル及び特定の周波数副搬送波またはＯＦＤＭシンボル内の複数の副搬送波のセットに対応する。実施形態では、基地局１０２−１は、複数の時間間隔の周期的な繰り返しセットを定義することにより、基地局１０２−１とユーザデバイス１０４−１，１０４−２との間で通信をスケジューリングし、ただし各時間間隔は１又は複数のリソースブロックを含み、そして、ユーザデバイス１０４−１、１０４−２と通信するために、複数の時間間隔の周期的な繰り返しセット内で、割り当てられた複数の時間間隔を使用するユーザデバイス１０４−１、１０４−２と通信する。
【００１５】
実施形態では、基地局１０２−１は、複数の時間間隔の間での基地局１０２−１とユーザデバイス１０４−１、１０４−２との間の通信チャネルの品質に少なくとも部分的に基づいて、ユーザデバイス１０４−１、１０４−２に対して複数の時間間隔の周期的な繰り返しセットを定義する。例えば、ユーザデバイス１０４−１、１０４−２のそれぞれは、複数の時間間隔のうちの幾つか又はすべての間に、ユーザデバイス１０４−１、１０４−２と基地局１０２−１との間の通信チャネルのチャネル品質を測定し、測定されたチャネル品質をフィードバックを介して基地局１０２−１に報告する。実施形態では、基地局１０２−１とユーザデバイス１０４−１、１０４−２との間のチャンネル品質は、複数の時間間隔のセット内の異なる複数の時間間隔の間で変化する。少なくとも幾つかの実施形態では、例えば、特定の時間間隔の間のユーザデバイス１０４−１と基地局１０２−１との間の通信チャネルのチャネル品質は、複数の時間間隔の間、隣接する複数のセル内で動作する隣接基地局１０２−２、１０２−３及び／又は隣接するユーザデバイス１０４−３、１０４−４のような他の無線源から、ユーザデバイス１０４−１により経験される干渉のレベルに依存する。言い換えると、実施形態では、特定の時間間隔の間のユーザデバイス１０４−１と基地局１０２−１との間のチャンネル品質は、少なくとも部分的に、時間間隔の間、ユーザデバイス１０４−１の近傍における他の無線源のアクティビティに依存する。
【００１６】
実施形態では、基地局１０２−１は、ユーザデバイス１０４−１、１０４−２のそれぞれから、基地局１０２−１とユーザデバイス１０４−１、１０４−２のそれぞれとの間のそれぞれの通信チャネルのチャンネル品質に関する情報を受信し、ユーザデバイス１０４−１、１０４−２の両方から受信されるチャネル品質情報に少なくとも部分的に基づいて、ユーザデバイス１０４−１、１０４−２のそれぞれとの通信をスケジューリングする。実施形態では、基地局１０２−１は、基地局１０２−１により供されるユーザデバイス１０４−１、１０４−２の両方から受信されるチャネル品質情報に基づいて、特定のユーザデバイス１０４−１、１０４−２に対するスケジューリングを決定するとともに、基地局１０２−１は、基地局１０２−１と特定のユーザデバイス１０４−１、１０４−２との間の劣悪なチャネル品質及び／又は特定のユーザデバイス１０４−１、１０４−２により経験される高レベルの干渉の時間間隔の間、基地局１０２−１と特定のユーザデバイス１０４−１、１０４−２との間で通信をスケジューリングする可能性は低い。
【００１７】  実施形態では、ユーザデバイス１０４−１は、好適な選択基準に基づいて、第１通信プロトコルにより定義された周期的に繰り返す複数の時間間隔のセットから１又は複数の時間間隔を選択することにより、第１ネットワークインターフェース１０６の動作を少なくとも一時停止し、第２ネットワークインターフェース１０８の動作をイネーブルにするための１又は複数の時間間隔のセットを決定する。実施形態では、選択基準は、ユーザデバイス１０４−１と基地局１０２−１との間の通信チャネルのチャンネル品質に基づく、及び／又は第１ネットワークインターフェース１０６により経験される干渉のレベルに基づく。例えば、ユーザデバイス１０４−１は、選択基準を満たす、第１通信プロトコルにより定義された周期的に繰り返す複数の時間間隔のセットから、１又は複数の時間間隔を識別し、識別された複数の時間間隔のセットのうちの幾つか又はすべてを選択することにより、第１ネットワークインターフェース１０６の動作を一時停止するための１又は複数の時間間隔を選択する。
【００１８】  実施形態では、ユーザデバイス１０４−１は、基地局１０２−１によりスケジューリングするために使用される１又は複数の時間間隔の間、ユーザデバイス１０４−１の第１ネットワークインターフェース１０６により経験される干渉のレベルを示す情報のようなチャネル品質情報を得て、このチャネル品質情報を使用して、第１通信プロトコル及び第２通信プロトコルに従って、ユーザデバイス１０４−１を動作させるために、第１通信プロトコルにより定義された複数の時間間隔のうちの異なる幾つかを割り当てる。実施形態では、例えば、ユーザデバイス１０４−１は、第１通信プロトコルに従って、第１ネットワークインターフェース１０６を動作させるために、ユーザデバイス１０４−１と基地局１０２−１との間の相対的に良好なチャンネル品質に対応する複数の時間間隔を割り当て、第２通信プロトコルに従って、第２ネットワークインターフェース１０６を動作させるために、ユーザデバイス１０４−１と基地局１０２−１との間の相対的に劣悪なチャネル品質に対応する複数の時間間隔を割り当てる。実施形態では、例えば、ユーザデバイス１０４−１と基地局１０２−１との間の相対的に劣悪なチャネル品質に対応する複数の時間間隔の間、通信デバイス１０４−１は、少なくとも実質的に、第１通信プロトコルに従って第１ネットワークインターフェース１０６の動作を一時停止し、第２通信プロトコルに従って第２ネットワークインターフェース１０８の動作をイネーブルにする。実施形態では、第１及び第２通信プロトコルに従って、動作のための複数の時間間隔のうちの異なる幾つかを割り当てることで、第１及び第２通信プロトコルに従って、ユーザデバイス１０４−１の並行動作により引き起こされ得る干渉を解消する。少なくとも幾つかの実施形態では、さらに、基地局１０２−１は、基地局１０２−１とユーザデバイス１０４−１との間の相対的に劣悪なチャネル品質の複数の時間間隔の間、基地局１０２−１とユーザデバイス１０４−１との間で通信をスケジューリングする可能性が低いので、相対的に劣悪なチャネル品質の複数の時間間隔の間、第１ネットワークインターフェース１０６の動作を一時停止することで、第１ネットワークインターフェース１０６の動作を一時停止することにより引き起こされるスループットのロスを最小化又は解消する。
【００１９】
図２は、実施形態に係る、通信デバイス２００内に共存する少なくとも２つの異なる通信テクノロジを使用して動作するよう構成された通信デバイス２００の例示的な実装例のブロック図である。実施形態では、通信デバイス２００は、第１通信プロトコルに従って動作するよう構成された第１ネットワークインターフェース２０２及び第２通信プロトコルに従って動作するよう構成された第２ネットワークインターフェース２０８を含む。実施形態では、通信デバイス２００は、図１のネットワーク１００において使用される。例えば、実施形態では、通信デバイス２００は、図１の通信デバイス１０４−１に対応する。この実施形態では、ネットワークインターフェース２０２は、ユーザデバイス１０４−１のネットワークインターフェース１０６に対応し、ネットワークインターフェース２０８は、図１におけるネットワークインターフェース１０８に対応する。他の実施形態では、通信デバイス２００は、図１の例示的なネットワーク１００以外の複数のネットワークにおいて使用される。他の実施形態では、同様に、通信デバイス２００以外の少なくとも２つの異なる通信テクノロジを使用して動作するよう構成された複数の通信デバイスは、ネットワーク１００において使用される。
【００２０】
図２を続けて参照すると、通信デバイス２００の第１ネットワークインターフェース２０２は、物理層（ＰＨＹ）プロセッシングユニット２０４及び媒体アクセス制御（ＭＡＣ）プロセッシングユニット２０６を含む。ＰＨＹプロセッシングユニット２０４及びＭＡＣプロセッシングユニット２０６は、第１通信プロトコルに従って動作するよう構成される。実施形態では、第１通信プロトコルは、３ＧＰＰ  ＬＴＥ通信プロトコルである。この実施形態では、ＰＨＹプロセッシングユニット２０４は、３ＧＰＰ  ＬＴＥ通信プロトコルに従って構成された複数のデータユニットを送信及び受信するよう構成される。この実施形態では、ＭＡＣプロセッシングユニット２０６は、３ＧＰＰ  ＬＴＥ通信プロトコルに従って、複数の媒体アクセス制御機能を実行するよう構成される。
【００２１】
通信デバイス２００の第２ネットワークインターフェース２０８は、ＰＨＹプロセッシングユニット２１０及びＭＡＣプロセッシングユニット２１２を含む。ＰＨＹプロセッシングユニット２１０及びＭＡＣプロセッシングユニット２１２は、第２通信プロトコルに従って動作するよう構成される。実施形態では、第２通信プロトコルは、ＷＬＡＮ通信プロトコルである。この実施形態では、ＰＨＹプロセッシングユニット２１０は、ＷＬＡＮ通信プロトコルに従って構成された複数のデータユニットを送信及び受信するよう構成される。この実施形態では、ＭＡＣプロセッシングユニット２１２は、ＷＬＡＮ通信プロトコルに従って、複数の媒体アクセス制御機能を実行するよう構成される。
【００２２】  通信デバイス２００は、第１ネットワークインターフェース２０２に及び第２ネットワークインターフェース２０８に連結されたインターフェース制御部２１４を含む。実施形態では、インターフェース制御部２１４は、第１ネットワークインターフェース２０２及び第２ネットワークインターフェース２０８の動作を制御するよう、また第１ネットワークインターフェース２０２と第２ネットワークインターフェース２０８との間の干渉軽減を提供するよう構成される。実施形態では、例えば、コントローラ２１４は、第１ネットワークインターフェース２０２の動作を一時停止し、第２ネットワークインターフェース２０８の動作をイネーブルにするための１又は複数の時間間隔のセットを決定するために、下に記載される複数の技術を少なくとも部分的に実装するよう構成される。幾つかの実施形態では、インターフェース制御部２１４は、第１ネットワークインターフェース２０２及び第２ネットワークインターフェース２０８から分離した構成要素として図２に示されるが、インターフェース制御部２１４の機能性は、少なくとも部分的に、ネットワークインターフェース２０２及び／又はネットワークインターフェース２０８に含まれる。
【００２３】
通信デバイス２００は、複数のアンテナ２１６を含む又はそれに連結される。他の実施形態では、３つのアンテナ２１６が図２に示されるが、通信デバイス２００は、他の好適な数（例えば、１、２、４、５、６等）のアンテナ２１６を含む、又はそれらに連結される。実施形態では、ネットワークインターフェース２０２、２０８のそれぞれは、１又は複数のアンテナ２１６のそれぞれに連結される。別の実施形態では、１又は複数のアンテナ２１６は、ネットワークインターフェース２０２、２０８の各１つに連結され、インターフェース２０２、２０８により共有される。
【００２４】
図３は、実施形態に係る、第１通信プロトコルに従って構築された例示的なフレーム３００の図である。フレーム３００は、複数の時間間隔又はサブフレーム３０４を含む。図３の実施形態では、フレーム３００は、１０の１ｍｓ時間間隔を含む１０ｍｓフレーム又はサブフレーム３０４−１から３０４−９（図３にサブフレーム０からサブフレーム９として示される）である。他の実施形態では、フレーム３００は、１０の時間間隔より少ない又はより多い別の好適な数の時間間隔を含む。実施形態では、基地局１０２−１は、フレーム３００内の１又は複数のサブフレーム３０４において、ユーザデバイス１０４−１との通信をスケジューリングすることにより、ユーザデバイス１０４−１に対するスケジューリングパターンを決定する。実施形態では、フレーム３００に対して基地局１０２−１により定義されたスケジューリングパターンは、フレーム３００に続く特定の数のフレームの間、持続する。この実施形態では、従って、フレーム３００に対して定義されたスケジューリングパターンは、複数の時間間隔の繰り返しセット又はフレーム３００の長さに等しい期間で繰り返す（例えば、１０ｍｓ毎に繰り返す）サブフレーム３０４を定義する。幾つかの実施形態では、第１通信プロトコルは、複数の例示的な時間間隔３０４以外の複数の好適な時間間隔を定義し、基地局１０２−１は、複数の例示的な時間間隔３０４以外の他の複数の好適な時間間隔を利用して、ユーザデバイス１０４−１と通信するためのスケジューリングパターンを定義する。
【００２５】
実施形態では、基地局１０２−１は、サブフレーム３０４のうちの特定の幾つかのうちで、ユーザデバイス１０４−１への複数のダウンリンク送信及び／又はユーザデバイス１０４−１からの複数のアップリンク送信をスケジューリングすることにより、ユーザデバイス１０４−１との通信をスケジューリングする。従って、実施形態では、１又は複数のサブフレーム３０４は、ユーザデバイス１０４−１と通信するためにスケジューリングされ、ユーザデバイス１０４−１に対するデータを含んでよく及び／又はユーザデバイス１０４−１によるデータの送信を可能にしてよく、一方で、残りの１又は複数のサブフレーム３０４は、ユーザデバイス１０４−１と通信するためにスケジューリングされず、従って、ユーザデバイス１０４−１に対するデータを含まず、ユーザデバイス１０４による複数の送信を可能にしない。実施形態では、基地局１０２−１は、基地局１０２−１とユーザデバイス１０４−１との間の通信チャネルの品質に関する様々な情報及び／又は異なる複数のサブフレーム３０４の間、ユーザデバイス１０４−１の近傍の他の無線源からユーザデバイス１０４−１のネットワークインターフェース１０６により経験される干渉の複数のレベルに基づいて、ユーザデバイス１０４−１に対するスケジューリングパターンを決定する。実施形態では、例えば、基地局１０２−１は、ユーザデバイス１０４−１と通信するために、基地局１０２−１とユーザデバイス１０４−１との間の相対的に低いチャネル品質及び／又はユーザデバイス１０４−１のネットワークインターフェース１０６により経験される相対的に高レベルの干渉の複数の時間間隔に対応するそれらのサブフレーム３０４を、スケジューリングする可能性が低い。
【００２６】  実施形態では、ユーザデバイス１０４−１は、第１通信プロトコルに従って、第１ネットワークインターフェース１０６の動作を少なくとも実質的に一時停止するため、また第２通信プロトコルに従って、ユーザデバイス１０４−１の動作を可能にするために第２ネットワークインターフェース１０８の動作をイネーブルにするための１又は複数のサブフレーム３０４のセットを決定するよう構成される。この実施形態では、要するに、ユーザデバイス１０４−１は、第１通信プロトコルに従って、ユーザデバイス１０４−１の動作に関する決定された１又は複数のサブフレーム３０４のセットを「パンクチャリング」するよう構成される。実施形態では、ユーザデバイス１０４−１は、基地局１０２−１とユーザデバイス１０４−１との間の相対的に低いチャネル品質及び／又はユーザデバイス１０４−１のネットワークインターフェース１０６により経験される高レベルの干渉の複数の時間間隔に対応する１又は複数のサブフレーム３０４を、第１ネットワークインターフェース１０６の動作に関してパンクチャリングされる１又は複数のサブフレーム３０４のセットとして選択する。
【００２７】
実施形態では、基地局１０２−１は、予め、複数のサブフレーム３０４のうちの幾つかがユーザデバイス１０４−１と通信するためにスケジューリングされる、またはされないユーザデバイス１０４−１を通知しない。この実施形態では、従って、ユーザデバイス１０４−１は、特定のサブフレーム３０４が、ユーザデバイス１０４に対するデータを含むかどうか、及び／又は特定のサブフレーム３０４の少なくとも一部を受信する前に、ユーザデバイス１０４−１により送信可能かどうかを知らない。例えば、実施形態では、基地局１０２−１は、特定のサブフレーム３０４が、サブフレーム３０４の最初の部分にユーザデバイス１０４−１に対するデータを含むかどうかの指示を送信する。実施形態では、従って、ユーザデバイス１０４−１は、少なくとも、複数のサブフレーム３０４のそれぞれの最初の部分を受信し、処理するよう構成され、それにより、サブフレーム３０４がユーザデバイス１０４−１に対するデータを含むか否かを判断する。別の実施形態では、しかし、基地局１０２−１は、複数のサブフレーム３０４のうちの幾つかが、基地局１０２−１がユーザデバイス１０４−１とスケジューリングパターンを交渉するユーザデバイス１０４−１との交渉の期間の後、通信デバイス１０４−１に対してスケジューリングされない、ユーザデバイス１０４−１を知らせる。
【００２８】
実施形態では、ユーザデバイス１０４−１は、少なくとも実質的に、第１通信プロトコルに従って、ユーザデバイス１０４−１の動作に関してパンクチャリングされた複数のサブフレーム３０４のセットにおける各サブフレーム３０４の全期間の間、第１ネットワークインターフェース１０６の動作を一時停止する。この実施形態では、従って、ユーザデバイス１０４−１は、これらのパンクチャリングされたサブフレーム３０４の最初の部分すら受信せず、少なくともスケジューリングパターンが基地局１０２−１とユーザデバイス１０４−１との間で交渉されている期間の間、パンクチャリングされたサブフレーム３０４がユーザデバイス１０４−１に対するデータを含むか否かを知ることはない。少なくとも幾つかの実施形態では、しかし、基地局１０２−１は、ユーザデバイス１０４−１と通信するためにこれらのパンクチャリングされたサブフレーム３０４をスケジューリングする可能性が低いので、これらのサブフレーム３０４を第１ネットワークインターフェース１０６の動作を一時停止するための複数のサブフレームのセットとして選択することで、第１ネットワークインターフェース１０６におけるスループットのロスを最小化又は解消する。
【００２９】
幾つかの実施形態では、ユーザデバイス１０４−１は、第１通信プロトコルにより定義された複数のネットワーク管理機能に関連する様々なチャネル測定を実行し、複数のチャネル測定に関連するそのようなネットワーク管理に少なくとも部分的に基づいて、第１通信プロトコルに従って、ユーザデバイス１０４−１の動作に関してパンクチャリングされる１又は複数のサブフレーム３０４のセットを決定するよう構成される。例えば、実施形態では、ユーザデバイス１０４−１は、第１通信プロトコルにより定義される複数の無線リソース管理（ＲＲＭ）測定及び／又は複数の無線リンク管理（ＲＬＭ）測定のような、様々なネットワーク協調測定を実行するよう構成される。実施形態では及び／又はシナリオでは、例えば、ユーザデバイス１０４−１は、ユーザデバイス１０４−１が、基地局１０２−１からユーザデバイス１０４−１に送信されるユーザ固有参照信号の電力レベル及び／又は信号品質を測定するＲＲＭ測定を実行する。別の実施形態では及び／又はシナリオでは、ユーザデバイス１０４−１は、ネットワークインターフェース１０６が、基地局１０２−１により送信されるセル固有参照信号の電力レベル及び／又は信号品質を測定するＲＬＭ測定を実行する。
【００３０】
幾つかの実施形態では、ユーザデバイス１０４−１は、（ｉ）測定されたユーザ固有参照信号の電力レベル、（ｉｉ）測定されたユーザ固有参照信号の品質、（ｉｉｉ）測定されたセル固有参照信号の電力レベル、（ｉｖ）測定されたセル固有参照信号の品質のうちの１又は複数を、フィードバックを介して、基地局１０２−１に提供する。実施形態では、さらに又は代替的に、ユーザデバイス１０４−１は、基地局１０２−１から受信される１又は複数の参照信号（例えばパイロット信号）に基づいて測定された信号対ノイズを含み得るチャンネル状態情報のようなチャンネル状態情報（ＣＳＩ）を判断する。幾つかの実施形態では、ユーザデバイス１０４−１は、ＲＲＭ及び／又はＲＬＭ測定をフィードバックを介して基地局１０２−１に提供することに加えて又は代えて、チャンネル状態情報をフィードバックを介して基地局１０２−１に提供する。幾つかの実施形態では、基地局１０２−１は、ユーザデバイス１０４−１に対するリソース要素のスケジューリング、基地局１０２−１により供される他のユーザデバイス１０４に対するリソース要素のスケジューリング、基地局１０２−１により供されるユーザデバイス１０４に対するセル間の干渉回避を容易にすること、ユーザデバイス１０４−１に対するハンドオーバー手順を開始すること等のような、様々なネットワーク管理機能を実行するためのユーザデバイス１０４−１からのＲＲＭ及び／又はＲＬＭ及び／又はＣＳＩフィードバックを利用する。
【００３１】  幾つかの実施形態では、ユーザデバイス１０４−１は、複数のサブフレーム３０４のうちの幾つか又はすべてに対応する測定されたＲＲＭ、ＲＬＭ、及び／又はＣＳＩ情報を利用して、第１ネットワークインターフェース１０６の動作を一時停止するため、またユーザデバイス１０４−１を第２通信プロトコルに従って動作させる第２ネットワークインターフェース１０８の動作をイネーブルにするための１又は複数のサブフレーム３０４のセットを決定する。実施形態では、例えば、ユーザデバイス１０４−１は、ネットワークインターフェース１０６により得られるＲＲＭ、ＲＬＭ、及び／又はＣＳＩ測定に従って、劣悪なチャネル品質に関連付けられる１又は複数のサブフレーム３０４のセットを識別する。例えば、ユーザデバイス１０４−１は、ＳＮＲ又はＳＩＮＲが特定の閾値を下回る１又は複数のサブフレーム３０４のセットを識別する。別の実施形態では、別の例として、ユーザデバイス１０４−１は、複数のチャンネル品質測定が取られた複数のサブフレーム３０４にわたる平均ＳＮＲ又は平均ＳＩＮＲを決定し、ＳＮＲ又はＳＩＮＲが特定の量だけ平均ＳＮＲ又は平均ＳＩＮＲより低い１又は複数のサブフレーム３０４のセットを識別する。実施形態では、ユーザデバイス１０４−１は、特定された１又は複数のサブフレーム３０４のセットを、第１ネットワークインターフェース１０６の動作を一時停止するため、またユーザデバイス１０４−１を第２通信プロトコルに従って動作させるために第２ネットワークインターフェース１０８の動作をイネーブルにするための１又は複数のサブフレーム３０４のセットとして、利用する。
【００３２】
実施形態では、ユーザデバイス１０４−１は、基地局１０２−１から、無線リソース制御（ＲＲＣ）メッセージのようなメッセージの受信に応答して、上で説明したＲＲＭ／ＲＬＭ／ＣＳＩ測定のような複数のネットワーク管理測定を実行するよう構成される。実施形態では、ＲＲＣメッセージは、ユーザデバイス１０４−１に、例えば、（例えば、３ＧＰＰリリース１０により、また複数の通信プロトコルを越えて定義されるような）第１通信プロトコルにより定義された強化セル間干渉協調（ｅＩＣＩＣ）手順に対して使用される複数のサブフレーム３０４のうちの１又は複数の制限された測定セットを示す。実施形態では、基地局１０２−１からユーザデバイス１０４−１に送信されるＲＲＣメッセージは、様々なネットワーク管理測定がユーザデバイス１０４−１により実行される１又は複数のサブフレーム３０４のセットを示す。例えば、ＲＲＣメッセージは、ユーザデバイス１０４−１が、基地局１０２−１からユーザデバイス１０４−１により受信される複数の参照信号に基づいて、ＲＲＭ及び／又はＲＬＭ測定を実行するための複数のサブフレーム３０４のサブセットを示す。実施形態では、ユーザデバイス１０４−１が、基地局１０２−１から受信される複数の参照信号に基づいて、ＲＲＭ及び／又はＲＬＭ測定を実行するための複数のサブフレームのサブセットは、基地局１０２−１がユーザデバイス１０４−１との通信をスケジューリングする可能性が高い複数のサブフレーム３０４のサブセットに対応する。実施形態では、従って、ユーザデバイス１０４−１は、複数のサブフレーム３０４の示されたサブセットを除く複数のサブフレーム３０４のセットから、第１通信プロトコルに従ってユーザデバイス１０４−１の動作に関してパンクチャリングされる１又は複数のサブフレーム３０４のセットを選択する。
【００３３】
別の実施形態では、基地局１０２−１からユーザデバイス１０４−１に送信されるＲＲＣメッセージは、ユーザデバイス１０４−１が、基地局１０２―２及び／又は基地局１０２―３のような複数の隣接基地局により送信される複数の参照信号に基づいて、ＲＲＭ及び／又はＲＬＭ測定を実行する複数のサブフレーム３０４のサブセットを示す。実施形態では、ユーザデバイス１０４−１が、複数の隣接基地局により送信される複数の参照信号に基づいて、ＲＲＭ及び／又はＲＬＭ測定を実行するための複数のサブフレーム３０４のサブセットは、基地局１０２−１がユーザデバイス１０４−１との通信をスケジューリングする可能性が高くない複数のサブフレーム３０４のサブセットに対応する。実施形態では、例えば、ユーザデバイス１０４−１が、複数の隣接基地局１０２により送信される複数の参照信号に基づいて、ＲＲＭ及び／又はＲＬＭ測定を実行するための複数のサブフレーム３０４のサブセットは、基地局１０２−１がユーザデバイス１０４−１に複数の隣接基地局１０２から相対的に高レベルの干渉を経験することを予期する複数のサブフレーム３０４のサブセットに対応する。実施形態では、従って、ユーザデバイス１０４−１は、ユーザデバイス１０４−１が、複数の隣接基地局１０２により送信される複数の参照信号に基づいて、ＲＲＭ及び／又はＲＬＭ測定を実行するための複数のサブフレーム３０４のサブセットを、第１通信プロトコルに従ってユーザデバイス１０４−１の動作に関してパンクチャリングされる複数のサブフレーム３０４のセットとして選択する。
【００３４】
さらに別の実施形態では、基地局１０２−１からユーザデバイス１０４−１に送信されるＲＲＣメッセージは、ユーザデバイス１０４−１が、基地局１０２―２及び／又は基地局１０２―３のような複数の隣接基地局により送信される複数の参照信号に基づいて、ＲＲＭ及び／又はＲＬＭ測定を実行する複数のサブフレーム３０４の複数のサブセットを示す。実施形態では、例えば、ＲＲＣメッセージは、ユーザデバイス１０４−１が、隣接基地局により送信される複数の参照信号に基づいて、ＲＲＭ及び／又はＲＬＭ測定を実行するための１又は複数のサブフレーム３０４のうちの第１サブセット及び１又は複数のサブフレーム３０４のうちの第２サブセットを示す。この場合、ユーザデバイス１０４−１は、１又は複数のサブフレーム３０４のうちの第１サブセットにおける複数のサブフレーム３０４の間、ＲＲＭ及び／又はＲＬＭ測定を実行して第１チャネル測定を得て、また１又は複数のサブフレーム３０４のうちの第２サブセットにおける複数のサブフレーム３０４の間、ＲＲＭ及び／又はＲＬＭ測定を実行して第２チャネル測定を得る。実施形態では、そして、ユーザデバイス１０４−１は、第１チャネル測定及び第２チャネル測定を比較し、その比較に基づいて、１又は複数のサブフレーム３０４のうちの第１サブセット又は１又は複数のサブフレーム３０４のうちの第２サブセットのいずれかを、第１通信プロトコルに従ってユーザデバイス１０４−１の動作に関してパンクチャリングされる複数のサブフレーム３０４のセットとして選択する。実施形態では、例えば、ユーザデバイス１０４−１は、第１チャネル測定がネットワークインターフェース１０６により経験される相対的により高いレベルの干渉を示すと、１又は複数のサブフレーム３０４のうちの第１サブセットを選択し、第２チャネル測定がネットワークインターフェース１０６により経験される相対的により高いレベルの干渉を示すと、１又は複数のサブフレーム３０４のうちの第２サブセットを選択する。
【００３５】
幾つかの実施形態では、ユーザデバイス１０４−１は、第１通信プロトコルにより定義された複数の測定に関連するネットワーク管理のような任意の特定の複数の測定と独立の複数のチャネル測定を実行し、及び／又は基地局１０２−１から受信される任意の特定の複数の命令に独立の複数のチャネル測定を実行する。例えば、ユーザデバイス１０４−１は、複数のサブフレーム３０４のうちの幾つか又はすべてのそれぞれの間、ユーザデバイス１０４―１と基地局１０２−１との間の通信チャネルを測定して、複数のサブフレーム３０４のうちの幾つか又はすべてのそれぞれの間のチャネルの測定を得る。実施形態では、そして、ユーザデバイス１０４−１は、特定の閾値の上の推定ＳＮＲ又は推定ＳＩＮＲに関連付けられる１又は複数のサブフレーム３０４のような、相対的に劣悪なチャネル品質に対応する１又は複数のサブフレーム３０４を、第１通信プロトコルに従ってユーザデバイス１０４―１の動作に関してパンクチャリングされる複数のサブフレームのセットとして選択する。実施形態では、別の例として、ユーザデバイス１０４―１は、複数のサブフレーム３０４のうちの幾つか又はすべてにおいて、好適な同一チャネル干渉検出技術を使用して同一チャネル干渉検出を実行して、例えば、複数の隣接基地局１０２及び／又は隣接する複数のユーザデバイス１０４により引き起こされる干渉を検出する。実施形態では、そして、ユーザデバイス１０４―１は、相対的に高レベルの検出された干渉に対応する１又は複数のサブフレーム３０４を、第１通信プロトコルに従ってユーザデバイス１０４―１の動作に関してパンクチャリングされる複数のサブフレームのセットとして選択する。
【００３６】
図４は、実施形態に係る、第１通信プロトコル及び第２通信プロトコルに従って動作するよう構成された通信デバイスを動作させる例示的な方法４００のフロー図である。図１を参照すると、方法４００は、実施形態に係るユーザデバイス１０４―１により実装される。図２を参照すると、実施形態では、方法４００は、通信デバイス２００により実装される。実施形態では、例えば、方法４００は、ネットワークデバイス２００のコントローラ２１４により少なくとも部分的に実装される。他の実施形態では、方法４００は、他の好適な通信デバイスにより実装される。説明の簡単のため、方法４００は、図１の通信デバイス１０４−１により実装されているように下で記載される。
【００３７】
ブロック４０２にて、通信デバイスは、第１通信プロトコルに従って第１ネットワークインターフェースを動作させる。例えば、ブロック４０２にて、ユーザデバイス１０４―１は、第１通信プロトコルに従って第１ネットワークインターフェース１０４―１を動作させる。実施形態では、第１通信プロトコルは、３ＧＰＰ  ＬＴＥ通信プロトコルである。別の実施形態では、第１通信プロトコルは、別の好適な通信プロトコルである。実施形態では、第１通信プロトコルは、第１通信プロトコルに従って通信をスケジューリングするための複数の時間間隔の周期的な繰り返しセットを定義する。実施形態では、複数の時間間隔は、通信が１又は複数の通信デバイスに対してスケジューリングされるフレームの複数のサブフレームに対応する。実施形態では、例えば、複数の時間間隔は、図３の複数のサブフレーム３０４に対応する。別の実施形態では、他の好適な周期的に繰り返す複数の時間間隔が使用される。
【００３８】
ブロック４０４にて、通信デバイスは、第１ネットワークインターフェースにより経験される干渉のレベルに基づいて、選択基準を満たす１又は複数の時間間隔を決定する。実施形態では、選択基準は、例えば、複数の時間間隔のうちの幾つか又はすべての間、複数の通信デバイスと通信デバイスに供する基地局との間の通信チャネルの測定されたチャネル品質に基づく。別の実施形態では、選択基準は、複数の時間間隔のうちの幾つか又はすべての間、第１ネットワークインターフェースにより経験された測定された干渉レベルに基づく。実施形態では、選択基準は、通信デバイスに供する基地局から受信される無線リソース制御（ＲＲＣ）メッセージのような、メッセージに基づく。例えば、メッセージは、複数の時間間隔のうちの１又は複数のサブセットを示し、通信デバイスは、１又は複数の時間間隔が複数の時間間隔のうちの１又は複数の示されたサブセットに含まれるか否かに基づいて、１又は複数の時間間隔を選択する。別の実施形態では、１又は複数の時間間隔は、基地局からいっさい特定の入力をすることなく決定される。
【００３９】  ブロック４０６にて、ブロック４０４にて決定された１又は複数の時間間隔の間、通信デバイスは、第１通信プロトコルに従って第１ネットワークインターフェースの動作を一時停止し、第２通信プロトコルに従って第２ネットワークインターフェースの動作をイネーブルにする。例えば、ブロック４０６にて、ユーザデバイス１０４―１は、第１通信プロトコルに従って第１ネットワークインターフェース１０６の動作を一時停止し、第２通信プロトコルに従って第２ネットワークインターフェース１０８の動作をイネーブルにする。実施形態では、第２通信プロトコルは、ＷＬＡＮ通信プロトコル、Ｂｌｕｅｔｏｏｔｈ（登録商標）通信プロトコル、ＧＰＳ通信プロトコルのうちの１つである。別の実施形態では、第２通信プロトコルは、別の好適な通信プロトコルである。実施形態では、第１通信プロトコルに従って動作する基地局は、通信デバイスの第１ネットワークインターフェースにより経験される高い干渉の複数の時間間隔の間、通信デバイスに対する通信をスケジューリングする可能性が低い。少なくとも幾つかの実施形態では、従って、ブロック４０４にて決定される１又は複数の時間間隔の間、第１ネットワークインターフェースの動作を一時停止することで、第１ネットワークインターフェースの動作を一時停止することにより引き起こされるスループットのロスを最小化又は解消する。
【００４０】  実施形態では、方法は、少なくとも（ｉ）第１通信プロトコルに従って動作するよう構成された第１ネットワークインターフェース及び（ｉｉ）第２通信プロトコルに従って動作するよう構成された第２ネットワークインターフェースを含む通信デバイスを動作させる。方法は、第１通信プロトコルに従って第１ネットワークインターフェースを動作させる段階であり、第１通信プロトコルは複数の時間間隔の周期的な繰り返しセットを定義する、段階を含む。方法は、複数の時間間隔のセットから、選択基準を満たす１又は複数の時間間隔を決定する段階であり、選択基準は第１ネットワークインターフェースにより経験される干渉のレベルに基づく、段階も含む。方法は、さらに、決定された１又は複数の時間間隔の間、第１通信プロトコルに従って第１ネットワークインターフェースの動作を一時停止し、第２通信プロトコルに従って第２ネットワークインターフェースの動作をイネーブルにする段階を含む。
【００４１】
他の実施形態では、方法は、次の特徴のうちの１又は複数の任意の組み合わせを含む。
【００４２】
第１通信プロトコルは、第３世代パートナーシッププロジェクトロングタームエボリューション（３ＧＰＰ  ＬＴＥ）プロトコルである。
【００４３】
第２通信プロトコルは、ワイヤレスローカルエリアネットワーク（ＷＬＡＮ）通信プロトコル、Ｂｌｕｅｔｏｏｔｈ（登録商標）通信プロトコル、又はグローバルポジショニングシステム（ＧＰＳ）通信プロトコルのうちの１つである。
【００４４】
通信デバイスは、サービング基地局により提供され、選択基準は、第１ネットワークインターフェースが１又は複数の隣接基地局による複数の送信の結果として経験する干渉のレベルに基づく。
【００４５】
１又は複数の時間間隔を決定する段階は、通信デバイスとサービング基地局との間の通信チャネルの低いチャネル品質に対応する、複数の時間間隔のうちの時間間隔のサブセットを識別するために、複数の時間間隔のうちの１又は複数の間に複数のチャネル測定を実行する段階と、識別された複数の時間間隔のサブセットから１又は複数の時間間隔を選択する段階と、を含む。
【００４６】
１又は複数の時間間隔の間に複数のチャネル測定を実行する段階は、ｉ）サービング基地局から受信される参照信号に基づく信号対ノイズ比（ＳＮＲ）測定、及びｉｉ）サービング基地局から受信される参照信号に基づく信号及び干渉対ノイズ比（ＳＩＮＲ）測定のうちの１又は複数を実行する段階を含む。
【００４７】
１又は複数の時間間隔の間に複数のチャネル測定を実行する段階は、１又は複数の時間間隔の間に複数の同一チャネル干渉検出測定を実行する段階を含む。
【００４８】
１又は複数の時間間隔を決定する段階は、通信デバイスにてサービング基地局から無線リソース管理（ＲＲＭ）メッセージを受信する段階であり、ＲＲＭメッセージは、通信デバイスが通信デバイスとサービング基地局との間の通信チャネルを測定する間の複数の時間間隔のサブセットを示す、段階と、複数の時間間隔のサブセットから除外される、複数の時間間隔のうちの、複数の時間間隔から１又は複数の時間間隔を選択する段階と、を含む。
【００４９】
１又は複数の時間間隔を決定する段階は、通信デバイスにてサービング基地局から無線リソース管理（ＲＲＭ）メッセージを受信する段階であり、ＲＲＭメッセージは、通信デバイスが通信デバイスと隣接基地局との間の通信チャネルを測定する間の複数の時間間隔のサブセットを示す、段階と、複数の時間間隔のサブセットに含まれる、複数の時間間隔のうちの、複数の時間間隔から１又は複数の時間間隔を選択する段階と、を含む。
【００５０】
１又は複数の時間間隔を決定する段階は、通信デバイスにてサービング基地局から無線リソース管理（ＲＲＭ）メッセージを受信する段階を備え、ＲＲＭメッセージは、複数の時間間隔のうちの複数の時間間隔の第１サブセット及び複数の時間間隔のうちの複数の時間間隔の第２サブセットを示し、第１サブセット及び第２サブセットは、通信デバイスが通信デバイスと隣接基地局との間の通信チャネルを測定する間の複数の時間間隔のそれぞれのサブセットを示す。
【００５１】
１又は複数の時間間隔を決定する段階は、さらに、複数の時間間隔の第１サブセットに対応する第１チャネル測定を判断するために、複数の時間間隔の第１サブセットの間に複数のチャネル測定を実行する段階と、複数の時間間隔の第２サブセットに対応する第２チャネル測定を判断するために、複数の時間間隔の第２制限セットの間に複数のチャネル測定を実行する段階と、を含む。
【００５２】
１又は複数の時間間隔を決定する段階は、さらに、第１チャネル測定が、第２チャネル測定により示されるチャンネル品質と比較して、悪いチャネル品質を示す場合、１又は複数の時間間隔として第１サブセットを選択する段階と、第１チャネル測定が、第２チャネル測定により示されるチャンネル品質と比較して、悪いチャネル品質を示す場合、１又は複数の時間間隔として第２サブセットを選択する段階と、を含む。
【００５３】  別の実施形態では、装置は、（ｉ）第１通信プロトコルに従って動作するよう構成された第１ネットワークインターフェース及び（ｉｉ）第２通信プロトコルに従って動作するよう構成された第２ネットワークインターフェースを有する通信デバイスを備える。通信デバイスは、第１通信プロトコルに従って第１ネットワークインターフェースを動作させるよう構成され、但し、第１通信プロトコルは複数の時間間隔の周期的な繰り返しセットを定義する。通信デバイスは、また、第１ネットワークインターフェースにより経験される高レベルの干渉に対する選択基準を満たす１又は複数の時間間隔を、複数の時間間隔のセットから決定するよう構成される。通信デバイスは、さらに、決定された１又は複数の時間間隔の間、第１通信プロトコルに従って第１ネットワークインターフェースの動作を一時停止し、第２通信プロトコルに従って第２ネットワークインターフェースの動作をイネーブルにするよう構成される。
【００５４】
他の実施形態では、装置は、さらに、次の特徴のうちの１又は複数の任意の組み合わせを備える。
【００５５】
第１通信プロトコルは、第３世代パートナーシッププロジェクトロングタームエボリューション（３ＧＰＰ  ＬＴＥ）プロトコルである。
【００５６】
第２通信プロトコルは、ワイヤレスローカルエリアネットワーク（ＷＬＡＮ）通信プロトコル、Ｂｌｕｅｔｏｏｔｈ（登録商標）通信プロトコル、又はグローバルポジショニングシステム（ＧＰＳ）通信プロトコルのうちの１つである。
【００５７】
通信デバイスは、サービング基地局により提供され、選択基準は、第１ネットワークインターフェースが１又は複数の隣接基地局による複数の送信の結果として経験する干渉のレベルに基づく。
【００５８】
通信デバイスは、さらに、通信デバイスとサービング基地局との間の通信チャネルの低いチャネル品質に対応する、複数の時間間隔のうちの時間間隔のサブセットを識別するために、複数の時間間隔のうちの１又は複数の間に複数のチャネル測定を実行し、識別された複数の時間間隔のサブセットから１又は複数の時間間隔を選択するよう構成される。
【００５９】
通信デバイスは、ｉ）サービング基地局から受信される参照信号に基づく信号対ノイズ比（ＳＮＲ）、及びｉｉ）サービング基地局から受信される参照信号に基づく信号及び干渉対ノイズ比（ＳＩＮＲ）のうちの１又は複数を測定することにより、１又は複数の時間間隔の間に複数のチャネル測定を実行するよう構成される。
【００６０】
通信デバイスは、１又は複数の時間間隔の間に複数の同一チャネル干渉検出測定を実行することにより、１又は複数の時間間隔の間に複数のチャネル測定を実行するよう構成される。
【００６１】
通信デバイスは、さらに、サービング基地局から、無線リソース管理（ＲＲＭ）メッセージを受信し、但し、ＲＲＭメッセージは、通信デバイスが通信デバイスとサービング基地局との間の通信チャネルを測定する間の複数の時間間隔のサブセットを示し、複数の時間間隔のサブセットから除外される、複数の時間間隔のうちの、複数の時間間隔から１又は複数の時間間隔を選択することにより１又は複数の時間間隔を決定するよう構成される。
【００６２】
通信デバイスは、さらに、サービング基地局から、無線リソース管理（ＲＲＭ）メッセージを受信し、但し、ＲＲＭメッセージは、通信デバイスが通信デバイスと隣接基地局との間の通信チャネルを測定する間の複数の時間間隔のサブセットを示し、複数の時間間隔のサブセットに含まれる、複数の時間間隔のうちの、複数の時間間隔から１又は複数の時間間隔を選択することにより１又は複数の時間間隔を決定するよう構成される。
【００６３】
通信デバイスは、さらに、サービング基地局から無線リソース管理（ＲＲＭ）メッセージを受信するよう構成され、ＲＲＭメッセージは、複数の時間間隔のうちの複数の時間間隔の第１サブセット及び複数の時間間隔のうちの複数の時間間隔の第２サブセットを示し、第１サブセット及び第２サブセットは、通信デバイスが通信デバイスと隣接基地局との間の通信チャネルを測定する間の複数の時間間隔のそれぞれのサブセットを示す。
【００６４】
通信デバイスは、さらに、複数の時間間隔の第１サブセットに対応する第１チャネル測定を判断するために、複数の時間間隔の第１サブセットの間に複数のチャネル測定を実行し、複数の時間間隔の第２サブセットに対応する第２チャネル測定を判断するために、複数の時間間隔の第２制限セットの間に複数のチャネル測定を実行するよう構成される。
【００６５】
通信デバイスは、さらに、第１チャネル測定が、第２チャネル測定により示されるチャンネル品質と比較して、悪いチャネル品質を示す場合、決定された１又は複数の時間間隔の間に、１又は複数の時間間隔として第１サブセットを選択し、第１チャネル測定が、第２チャネル測定により示されるチャンネル品質と比較して、悪いチャネル品質を示す場合、決定された１又は複数の時間間隔の間に、１又は複数の時間間隔として第２サブセットを選択するよう構成される。
【００６６】
記載されるように、上に記載された様々な技術は、ハードウェア、ファームウェア、ソフトウェア、又はハードウェア、ファームウェア、及び／又はソフトウェアの組み合わせにおいて実装されてよい。ソフトウェアにおいて実装される場合、ソフトウェアは、磁気ディスク、光ディスク、又は他の記憶媒体のような任意のコンピュータ可読メモリ、又はコンピュータのＲＡＭ又はＲＯＭ又はフラッシュメモリ、プロセッサ、集積回路、ハードディスクドライブ、光ディスクドライブ、テープドライブ等に格納されてよい。同様に、ソフトウェアは、例えば、コンピュータ可読ディスク又は他の可搬型コンピュータ記憶機構、又は通信媒体を含む任意の既知又は所望の配信方法を介して、ユーザ又はシステムに配信されてよい。通信媒体は、典型的に、コンピュータ可読命令、データ構造、プログラムモジュール、又は搬送波又は他の搬送機構のようなモジュールデータ信号内の他のデータを体現する。用語「モジュールデータ信号」は、信号内の情報をエンコードするように設定又は変更されたその特徴の１又は複数を有する信号を意味する。例として、限定するものではなく、通信媒体は、有線ネットワーク又は直接有線接続のような有線媒体、及び音響、無線周波数、赤外線、及び他の無線媒体のような無線媒体を含む。従って、ソフトウェアは、電話線、ＤＳＬ線、ケーブルテレビ線、無線通信チャネル、インターネット等（可搬型記憶媒体を介してそのようなソフトウェアを提供することと同じ又は交換可能であるとみなされる）のような通信チャネルを介してユーザ又はシステムに配信されてよい。ハードウェアにおいて実装される場合、ハードウェアは、個別の構成要素、集積回路、特定用途向け集積回路（ＡＳＩＣ）等、その他のうち１又は複数を備えてよい。
【００６７】
本発明は、例示することのみを意図するのであり本発明を限定することを意図しない特定の例を参照して記載されているが、当業者には、上に明示的に記載されたそれらへ加える変更、付加、又は削除が、発明の範囲から逸脱しない開示された実施形態になされ得ることは明らかであろう。
【図１】
0006478125.tif 000002
【図２】
0006478125.tif 000003
【図３】
0006478125.tif 000004
【図４】
0006478125.tif 000005